(57)【要約】      （修正有）【課題】図書をコピーする時に、どの図書のコピーであるかが一目で分かるような情報を付加するためにかかるコピー利用者の手間を削減する。【解決手段】コピー機と図書情報管理サーバとから成り、コピー機は、図書のコピーをするためのプリンタ装置、コピー制御装置、入力装置、ディスプレイ、リーダを有する。リーダは、図書に貼付されているバーコード、ＩＣタグなどの種別に応じて対応可能なバーコードリーダ、ＩＣタグリーダなどを備え、図書情報管理サーバは、図書情報を管理する図書データベースを備える。利用者が図書のコピーを実行する時には、コピー制御装置に接続されているリーダから、図書に装着されたバーコードやＩＣタグをスキャン又は近接させることにより、バーコードやＩＣタグに格納済みの図書の情報を読み取り、ディスプレイに表示される画面でコピー時に付加する情報を設定してからプリンタ装置で図書をコピーするという操作を行う。【選択図】図１
2009130498.tif 000002
【特許請求の範囲】
【請求項１】
コード又はＩＣタグにより管理されている図書をコピーする際に用いられる図書コピーシステムであって、
コード又はＩＣタグに格納され少なくとも図書を一意に識別する図書ＩＤを含む図書情報を読み取るリーダ装置と、
図書の内容を読み取り、印刷対象に印刷するプリンタ装置と、
該プリンタ装置で印刷する際に、前記リーダ装置により読み取られた図書情報を前記印刷対象に対して自動的に付加する制御を行うコピー制御装置と
を有することを特徴とする図書コピーシステム。
【請求項２】
コード又はＩＣタグにより管理されている図書をコピーする際に用いられる図書コピーシステムであって、
コード又はＩＣタグに格納され少なくとも図書を一意に識別する図書ＩＤを含む図書情報を読み取るリーダ装置により読み取られた図書の内容を印刷対象に印刷するプリンタ装置と、
該プリンタ装置で印刷する際に、前記リーダ装置により読み取られた図書情報を前記印刷対象に対して自動的に付加する制御を行うコピー制御装置と
を有することを特徴とする図書コピーシステム。
【請求項３】
さらに、図書ＩＤと図書の詳細情報とを対応付けて格納する図書データベースを備え、
前記図書ＩＤによって関連付けされるコピー対象の図書の前記詳細情報を前記図書データベースから取得し、前記印刷対象に印刷することを特徴とする請求項１又は２に記載の図書コピーシステム。
【請求項４】
前記コピー制御装置は、前記図書情報又は詳細図書情報のうちから、前記印刷対象に印刷したい情報を予め選択可能なユーザインターフェイスを作成することを特徴とする請求項３に記載の図書コピーシステム。
【請求項５】
さらに、前記コピー制御装置は、コピー結果の表紙に出力したい情報を予め選択可能なユーザインターフェイスを作成することを特徴とする請求項４に記載の図書コピーシステム。
【発明の詳細な説明】
【技術分野】
【０００１】
本発明は、図書コピー装置に関し、特に、図書館内において図書をコピーする時に、図書情報を自動的にコピー結果に付加する図書コピーシステムに関する。
【背景技術】
【０００２】
現在、多くの図書館において、図書（書籍等）に書籍情報等を記憶させたバーコードやＩＣタグ等を貼付することにより、それぞれの図書の情報を管理し、図書の貸出管理等の業務を容易にしている。
【０００３】
また、図書館内の図書のコピーに関する技術としては、下記特許文献１で記載されているような、不正コピー防止システムがある。
【０００４】
特許文献１に開示されているシステムでは、非接触ＩＣタグであるＲＦＩＤ（Ｒａｄｉｏ  Ｆｒｅｑｕｅｎｃｙ  Ｉｄｅｎｔｉｆｉｃａｔｉｏｎ）にコピー許可情報を記録し、著作権が有効な書籍に関して不正にコピーされるのを防止するように制御を行う。
【特許文献１】特開２００６−１５３９２０号公報
【発明の開示】
【発明が解決しようとする課題】
【０００５】
図書をコピーする利用者側から見ると、どの図書のコピーであるかが簡単に判別できるようにしたいという要請がある。しかしながら、このような情報は、コピーを行う時に自動的には付加されるものではなかった。
【０００６】
すなわち、現状では、コピー元の図書の情報を付加するためには、以下のような操作を利用者が手動で行う必要がある。
（１）書名や著者名等を付加する場合は、表紙や奥付（本の巻末によくある、書名、著者、発行者、印刷者、出版年月日等を書いている部分）等を別途コピーする。
（２）コピーが複数枚ある場合、コピー結果の余白部分にどの図書のコピーであるかを識別するための情報を例えば自筆で記載する。
【０００７】
上記の方法を手動で行うと、コピー対象となる図書が大量にある場合には、利用者にとって負担が多くなるという問題がある。
【０００８】
本発明の目的は、上記に挙げたようなコピー利用者の手間を削減するために、コピー結果に図書の情報を自動的に付加する技術を提供することにある。
【課題を解決するための手段】
【０００９】
上記目的を達成するために、本発明の図書コピーシステムは、バーコードやＩＣタグを利用した図書館において、図書情報を管理しているサーバとプリンタ装置を連携し、コピーした図書の情報をコピー結果に自動的に付加する手段を設けたものである。
【００１０】
本発明の一観点によれば、バーコード、ＱＲコード等のコード又はＩＣタグにより管理されている図書をコピーする際に用いられる図書コピーシステムであって、コード又はＩＣタグに格納され少なくとも図書を一意に識別する図書ＩＤを含む図書情報を読み取るリーダ装置と、図書の内容を読みとり印刷対象に印刷するプリンタ装置と、該プリンタ装置で印刷する際に、前記リーダ装置により読みとられた図書情報を前記印刷対象に対して自動的に付加する制御を行うコピー制御装置と、を有することを特徴とする図書コピーシステムが提供される。また、コード又はＩＣタグにより管理されている図書をコピーする際に用いられる図書コピーシステムであって、コード又はＩＣタグに格納され少なくとも図書を一意に識別する図書ＩＤを含む図書情報を読み取るリーダ装置により読み取られた図書の内容を印刷対象に印刷するプリンタ装置と、該プリンタ装置で印刷する際に、前記リーダ装置により読みとられた図書情報を前記印刷対象に対して自動的に付加する制御を行うコピー制御装置と、を有することを特徴とする図書コピーシステムであっても良い。
【００１１】
さらに、図書ＩＤと図書の詳細情報とを対応付けて格納する図書データベースを備え、前記図書ＩＤによって関連付けされるコピー対象の図書の前記詳細情報を前記図書データベースから取得し、前記印刷対象に印刷することが好ましい。
【００１２】
前記コピー制御装置は、前記図書情報又は詳細図書情報のうちから、前記印刷対象に印刷したい情報を予め選択可能なユーザインターフェイスを作成することが好ましい。さらに、コピー結果の表紙に出力したい情報を予め選択可能なユーザインターフェイスを作成するようにすると良い。
【００１３】
本発明は、上記図書コピーシステムに含まれる、プリンタ装置及びコピー制御装置であっても良く、さらに、コード・タグリーダが付加される装置であっても良い。或いは、これらの処理をコンピュータに実行させるためのプログラムやそのプログラムを記録した記録媒体であっても良い。
【発明の効果】
【００１４】
以上のように、本発明の図書コピー技術によれば、図書情報をコピー結果に自動的に付加できるようになるため、以下のような効果がある。
（１）図書情報を自動的にコピー結果に付加できるため、コピー利用者が手動で行う処理を削減することができる。
（２）複数の図書を一度にコピーした場合、どの図書のコピーであるかを容易に識別することができる。
【発明を実施するための最良の形態】
【００１５】
本明細書において、図書情報とは、図書を一意に識別可能な情報を指し、例えば、図書名と著者名、発行者などを含む。図書詳細情報とは、例えば目次などを含む図書の内容により関係する情報を指す。後述する、出版者、図書番号などを含んでいても良い。
【００１６】
以下、本発明の一実施の形態による図書コピー技術について図面を参照しながら説明する。
【００１７】
図１は、本発明の一実施の形態による図書コピーシステムの一構成例を示す図である。本実施の形態による図書コピーシステムは、コピー機１００と、図書情報の管理を行う図書情報管理サーバ１０１と、を有している。コピー機１００は、図書のコピーを印刷するためのプリンタ装置１０２と、コピー処理の各種制御を行うコピー制御装置１０３（例えばパーソナルコンピュータＰＣ）と、キーボ−ド、マウスなどの入力装置１０６と、ディスプレイ１０７と、読みとり装置（リーダ）１０５と、を有している。リーダ１０５は、図書に貼付されているバーコード、ＩＣタグなどの種別に応じて、それに対応可能なバーコードリーダ、ＩＣタグリーダなどを備えている。コピー制御装置１０３には、バーコードリーダやＩＣタグリーダ等の図書情報を読みこむためのリーダ１０５、キーボードやマウス等の入力装置１０６、ディスプレイ１０７が接続されている。
【００１８】
図書情報管理サーバ１０１は、例えば図書館内の図書の情報（書名・著者名等）を管理する図書データベース１０４を備えている。
【００１９】
利用者が図書（書籍）のコピーを実行する時には、コピー制御装置１０３に接続されているリーダ１０５から、図書に装着されたバーコードやＩＣタグをスキャン又は近接させることにより、バーコードやＩＣタグに格納済みの図書の情報を読み取り、ディスプレイ１０７に表示される画面でコピー時に付加する情報を設定してからプリンタ装置１０２で図書をコピーするという操作を行う。図書データベース１０４から破線で導かれているテーブルは、図書データベースに格納されている情報の一構成例を示すものであり、例えば、図書を一意に識別するＩＤと、書名と、著者名と、その他の情報と、を含んでいる。基本的には、書名と著者名との組により図書を一意に識別できるが、同名の著者の同名の図書も存在する可能性があるため、ＩＤを付しておくのが好ましい。
【００２０】
尚、コピー履歴として、コピーされた図書を特定するＩＤと、コピーされた年月日、コピー者、コピーページを格納するようにして、コピー処理を管理できるようにしても良い。
【００２１】
図２は、図書のコピー時に必要な情報を設定する画面（以下、「コピー情報入力画面」と称する。）の一例を示す図である。図２に示すコピー情報入力画面は、表紙情報入力画面２０１・ヘッダ情報入力画面２０２・プレビュー表示画面２０３・実行処理選択部２０４で構成される。
【００２２】
表紙情報入力画面２０１は、図書の表紙の出力要否選択部２０５と、表紙出力情報選択部２０６と、で構成されている。表紙出力情報選択部２０５には、図書情報管理サーバ１０１から取得した該当する図書の情報が表示され、どの情報を出力するかをチェックボックスで利用者に選択させるようにすることができる。
【００２３】
ヘッダ情報入力画面２０２は、例えばコピー結果の上部の余白に出力する情報（ヘッダ）を利用者に入力させるためのＵＩ（ユーザインターフェイス）である。ヘッダ情報入力画面２０２は、ヘッダの先頭に出力する文字列を利用者に入力させるための共通情報入力部２０７とヘッダに付与する連番の開始番号を利用者に入力させるための開始番号入力部２０８とで構成される。共通情報入力部２０７には、初期値として書名を表示するが、必要に応じて利用者が別の文字列を入力部から指定（修正等の編集を含む）できるようにするのが好ましい。また、書名の他に著者名等の書誌情報を追加指定できるようにしても良い。
【００２４】
プレビュー表示部２０３には、利用者が入力した表紙情報やヘッダ情報がコピー結果にどのように出力されるかが分かるようなプレビュー画像を表示させることができる。実行処理選択部２０４には、実行する処理を選択・決定するためのボタンが配置されている。本実施の形態では、「プレビュー表示」２０４ａ、「コピー開始」２０４ｂ、「コピー終了」２０４ｃ、「別の図書をコピー」２０４ｄ、「キャンセル」２０４ｅが実行できるように構成されている。尚、利用者の誤操作を防ぐために、現在実行可能な処理のボタンのみ活性化するようにしても良い。活性化されたボタンのみ表示させるようにしても良い。
【００２５】
図３は、本実施の形態による図書コピー技術におけるコピー情報入力画面の画面遷移例を示した図である。
【００２６】
最初は、利用者に図書情報の読み込みを促す初期画面３０１が表示されている状態となっている。初期画面３０１において、利用者がコピー制御装置１０３に接続されているリーダ１０５から図書情報を読みこむことにより、プレビューが表示されていない状態のコピー情報入力画面（コピー情報入力画面Ａ３０２）に遷移する（Ｌ１）。コピー情報入力画面Ａ３０２において、利用者が必要な情報を設定した後に「プレビュー表示」を実行すると、プレビューを表示したコピー情報入力画面（コピー情報入力画面Ｂ３０３）に遷移する（Ｌ６）。
【００２７】
コピー情報入力画面Ａ３０２、または、コピー情報入力画面Ｂ３０３において、「コピー開始」を実行すると、コピー実行確認画面３０４に遷移する（Ｌ３、Ｌ１０）。コピー実行確認画面３０４では、プレビューを表示した状態のコピー情報入力画面とコピーを開始してもよいかを利用者に確認する確認ダイアログが表示される。
【００２８】
コピー実行確認画面３０４において「ＯＫ」を選択すると、コピー中画面３０５に遷移し（Ｌ４）、プリンタ装置１０２で図書のコピーが実行できるようになる。コピー実行確認画面３０４において「キャンセル」を選択するとコピー情報入力画面Ｂ３０３に遷移する（Ｌ９）。
【００２９】
コピー中画面３０５においては、利用者は、「コピー終了」（２０４ｃ）・「別の図書をコピー」（２０４ｄ）・「キャンセル」（２０４ｅ）のみを実行可能とし、コピー情報の編集はできないようにすることでユーザの混乱（誤操作）を防止することができる。尚、コピー中画面３０５が表示されている間に実行されたコピー結果には、画面に表示されている後述するヘッダ情報が自動的に付加される。
【００３０】
コピー中画面３０５において、「コピー終了」または「別の図書をコピー」を選択すると、初期画面３０１に遷移し、新しい図書の情報を入力できるようになる（Ｌ５）。コピー中画面３０５において「キャンセル」を選択した場合は、コピー情報入力画面３０３に遷移し（Ｌ８）、コピー実行中の図書のコピーをやり直すこと等の処理ができるようになる。
【００３１】
尚、コピー情報入力画面Ａ３０２、または、コピー情報入力画面Ｂ３０３において、キャンセル又は別の図書をコピーを選択すると、初期画面３０１に戻る（Ｌ２、Ｌ７）。
【００３２】
図４は、本実施の形態による図書コピーシステムを利用して図書のコピーを実行した時のコピー結果の例を示す図である。コピー情報入力画面に利用者が図２に示した指定を行い、図書のコピーを例えば５ページ分だけ実行すると、図４に示すように、表紙４０１とヘッダがコピー結果の余白部分に付加されたコピー結果４０２とが出力される。
【００３３】
表紙４０１は、ヘッダ４０１ａと、書名、著者名、図書館で管理する図書番号などが付されており、これを、コピー書類の表紙として用いると便利である。コピー結果４０２には、コピーした内容４０２ｃ、４０２ｄに加えて、例えばヘッダ部分などの余白に、ヘッダ４０２ａ、４０２ｂを付加する。ヘッダには、書籍名とページ数の通番とが記載され、たとえばコピー結果がばらばらになっても、通番により順番に並べることができる。尚、コピーの際に図２で、飛びのあるページ数を指定すると、ヘッダ情報も、その飛びの順番に数字が付加されるため、実際のコピー結果を確認することが簡単である。
【００３４】
図５は、コピー制御装置１０３の内部コンポーネントの一構成例を示す図である。コピー制御装置１０３は、大きく分けると、利用者とのインタフェース部５０１と、データ処理部５０２と、プリンタ装置とのインタフェース部５０３と、から構成されている。
【００３５】
利用者とのインタフェース部５０１は、図書の情報を読みこむバーコードリーダなどの図書情報入力部５０４と、コピー情報入力画面の表示を行うＬＣＤなどの表示部５０５と、利用者がコピー情報入力画面に入力した情報を読み込む印刷情報入力部５０６と、から構成されている。
【００３６】
データ処理部５０２は、入力された図書情報に基づいて、該当する図書の詳細情報を図書情報管理サーバ１０１から取得する図書詳細情報取得処理部５０７と、コピー情報入力画面の制御を行う入力画面情報作成処理部５０８と、利用者が入力した情報とプリンタ装置１０２とから入力された図書のコピーデータから実際に印刷するコピー結果を作成する印刷情報作成処理部５０９と、から構成されている。
【００３７】
プリンタ装置１０２とのインタフェース部５０３は、プリンタ装置１０２から入力された図書のコピーデータの読み込みや実際に印刷するコピー結果をプリンタ装置１０２に送信を行う印刷情報送受信部５１０から構成されている。矢印の方向は、情報の流れを示すものである。図書詳細情報取得処理部５０７から入力画面情報作成処理部５０８に、詳細情報が伝えられる。
【００３８】
以下に、本実施の形態による図書コピーシステムにおける動作の流れを説明する。図６は、コピー制御装置１０３のデータ処理部５０２における、コピー情報入力画面作成処理の概略を示すフローチャート図である。処理が開始されと、まず、利用者がリーダ１０５で図書のバーコードやＩＣタグ（図書情報入力部）からバーコードリーダなどにより読み込んだ図書情報を取得する（ステップＳ６０１）。ステップＳ６０１で取得した図書情報に基づいて、図書情報管理サーバ１０１が図書データベース１０４を検索し、検索された図書詳細情報を取得する（ステップＳ６０２）。
【００３９】
コピー制御装置の入力画面情報作成処理部５０８は、図書情報管理サーバ１０１から取得した図書の詳細情報から図２に示したコピー情報入力画面を作成し、ディスプレイ１０７に表示し（ステップ６０３）、この処理を終了する。
【００４０】
図７は、コピー実行時にコピー制御装置１０３のデータ処理部５０２が行う処理の概略を示すフローチャート図である。まず、処理を開始し、利用者がプリンタ装置１０２で図書のコピーを実行すると、コピー開始指示を受信する（ステップ７０１）。プリンタ装置１０２は、コピー結果をコピー制御装置１０３に送信する（ステップ７０２）。
【００４１】
コピー制御装置１０３の印刷情報送受信部５１０は、受け取ったコピー結果を印刷情報作成処理部５０９に送信する。印刷情報作成処理部５０９は、最初のページのコピーであるかを確認する（ステップ７０３）。
【００４２】
ここで、最初のページのコピーである場合（ステップ７０３ａでＹＥＳ）、表紙の印刷情報を作成し、印刷情報送受信部５１０に送信する。印刷情報送受信部５１０は、プリンタ装置に表紙の印刷情報を送信する（ステップ７０４）。プリンタ装置１０２は、受信した表紙の情報を基にして表紙を印刷する（ステップ７０５）。
【００４３】
印刷情報作成処理部５０９は、受け取ったコピー結果にヘッダを付加したコピーページ情報を作成し、印刷情報送受信部５１０に送信する。印刷情報送受信部５１０は、プリンタ装置１０２にコピーページ情報を送信する（ステップ７０６）。プリンタ装置１０２は、受信したコピーページ情報を基にしてコピー結果を印刷する（ステップ７０７）。
【００４４】
次いで、コピー終了か否かを判定し（ステップ７０７ａ）、ＮＯであればステップ７０１に戻り、ＹＥＳであれば終了する。
【００４５】
以上に説明したように、本発明の実施の形態により、コピーする図書の情報をコピー結果に自動的に付加することが可能となり、図書をコピーする時に利用者が行う操作を省くことができるという利点がある。
【００４６】
次に、本発明の第２の実施の形態による図書コピー技術について、図８を参照しながら説明する。図８に示す本発明の第２の実施の形態による図書コピー装置は、コピー操作部１００ａにはリーダ装置は設けられておらず、通信部１０８が設けられている。そして、リーダ装置１０５ａは、例えば、別途、図書館に用意されているか、或いは、ユーザの所持する携帯端末に設けられているリーダ機能１０５ａを利用することを特徴とする。ユーザは、図書をコピーする際に、図書に設けられているコードを、携帯端末のリーダ１０５ａで読みとる。そして、読みとった内容について、通信機能を用いて通信部１０８に送信する。その後の操作は、第１の実施の形態と同様である。
【００４７】
尚、本実施の形態による技術は、その他の応用も可能である。例えば、図書館で利用する例について説明したが、その他、企業、学校などにおいても応用が可能である。企業であれば、社内ＬＡＮで接続された複数のコピー機を連携させて利用するようなシステムとしても良い。
【産業上の利用可能性】
【００４８】
本発明は、図書コピーシステムに利用可能である。
【図面の簡単な説明】
【００４９】
【図１】本発明の第１の実施の形態による図書コピーシステムの一構成例を示す図である。
【図２】本実施の形態によるコピー情報入力画面の一例を示す図である。
【図３】コピー情報入力からコピー実行までのコピー制御装置の画面表示の遷移例を示す状態遷移図である。
【図４】コピー結果の一例を示す図である。
【図５】コピー制御装置の内部構成例を示す図である。
【図６】コピー情報入力処理の流れを示すフローチャート図である。
【図７】コピー実行処理の一例を示すフローチャート図である。
【図８】本発明の第２の実施の形態による図書コピーシステムの一構成例を示す図である。
【符号の説明】
【００５０】
１０１…図書情報管理サーバ、１０２…プリンタ装置、１０３…コピー制御装置、１０４…図書データベース、１０５…リーダ、１０６…入力装置、１０７…ディスプレイ、２０１…表紙情報入力部、２０２…ヘッダ情報入力部、２０３…プレビュー表示部、２０４…実行処理選択部、２０５…表紙の出力要否選択部、２０６…表紙出力情報選択部、２０７…共通情報入力部、２０８…開始番号入力部、３０１…初期画面、３０２…コピー情報入力画面Ａ、３０３…コピー情報入力画面Ｂ、３０４…コピー実行確認画面、３０５…コピー中画面、４０１…表紙の例、４０２…コピー結果の例、５０１…利用者とのインタフェース部、５０２…データ処理部、５０３…プリンタ装置とのインタフェース部、５０４…図書情報入力部、５０５…表示部、５０６…印刷情報入力部、５０７…図書詳細情報取得処理部、５０８…入力画面情報作成処理部、５０９…印刷情報作成処理部、５１０…印刷情報送受信部。
【図１】
2009130498.tif 000003
【図２】
2009130498.tif 000004
【図３】
2009130498.tif 000005
【図４】
2009130498.tif 000006
【図５】
2009130498.tif 000007
【図６】
2009130498.tif 000008
【図７】
2009130498.tif 000009
【図８】
2009130498.tif 000010